(57)【要約】【課題】  遊技機における制御回路基板収納ボックスに関し、締着された制御回路基板収納ボックスが不正開放された事実を表示するとともに証跡を保全する。【解決手段】  基板ボックス締着部１６への不正な開放作用を係受する薬剤ユニット１を制御回路基板収納ボックスの締着螺子３５近傍に格納する。不正開放に係わる作用力によって該薬剤ユニット１に充填された薬剤が化学ルミネセンス効果を呈して発色若しくは変色する。制御回路基板収納ボックスに設けられた薬剤ユニット１の発色若しくは変色が不正開放の事実を表示するとともに証跡を確保する構成を有して成る。【選択図】    図５  
2005087596.tif 000002
【特許請求の範囲】
【請求項１】
化学ルミネセンス効果を呈する薬剤を薬剤ユニット１に収容する一方、制御基板ボックス１５と制御基板ボックス蓋２８との分離分割時には該分離分割作用を受けて化学ルミネセンス効果を呈して発色するとともに発色状態を維持して保管する当該薬剤ユニット１を基板ボックス締着部１６設けると共に、該基板ボックス締着部１６を含む制御基板ボックス１５若しくは制御基板ボックス蓋２８の薬剤ユニット１の収容部を光透過性樹脂で形成したことを特徴とする遊技機における制御回路基板収納ボックス。
【発明の詳細な説明】
【技術分野】
【０００１】
本発明は、遊技機における制御回路基板収納ボックスに関し、締着された制御回路基板収納ボックスが不正開放された事実を表示するとともに証跡を保全する技術に関する。
【背景技術】
【０００２】
従来、遊技機に設けられた制御回路基板収納ボックスは、制御回路基板が不正に改造されることを防止するために制御回路基板収納ボックスを封印シールや締着螺子により開放不能にする構造とされてきた。（例えば、特許文献１参照。）改良された技術にあっては、締着螺子により一旦螺嵌された制御回路基板収納ボックスは、基板ボックス締着部をニッパ等の工具により切断し破壊しなければ制御回路基板収納ボックスを開放できない構造とした。（例えば、特許文献２参照。）更に改良されたものにあっては、制御回路基板収納ボックス本体やカバーにインキ類や漏れだし可能な液体を封入し、不正開放により漏れだして制御回路基板収納ボックスに付着したインキ類や液体によって不正開放後巧妙に修復された制御回路基板収納ボックスを識別しようとする出願が公開された。（例えば特許文献３、特許文献４参照。）
【特許文献１】実開平１−２６０８５号公報（図７）
【特許文献２】特開平１０−２１６３２３号公報（第３頁、図６）
【特許文献３】特開２００１−３１４６２４号公報（第３頁、図１０）
【特許文献４】特開２００２−２２４３９８号公報（第７頁、図８）
【発明の開示】
【発明が解決しようとする課題】
【０００３】
制御回路基板収納ボックスの不正開放された事実の発見を容易なものとする為に漏れ出したインク類若しくは液体により制御回路基板収納ボックスに痕跡を残すものにあっては、精密な清掃具により制御回路基板収納ボックス付着したインク類や液体を物理的に除去し、或いは化学変化によって消去される技術上の問題点を有する。また、正当な行為として制御回路基板収納ボックスを検査する必要が在る場合においても、漏れ出したインク類や液体が制御回路基板収納ボックスの周辺環境を汚染し、これが導電性で在る場合には回路障害を生じる危険を有するものである。本願発明が解決しようとする課題は、制御回路基板収納ボックスに対する不正開放の事実を明確に識別表示するとともに不正な事実が隠蔽されることのない確実な証跡を確保するとともに、併せて正当な制御回路基板収納ボックスの開放時においてインク類や液体が漏れ出し発生する障害を未然に防止しようとするものである。
【課題を解決するための手段】
【０００４】
本願発明の課題を解決する手段は、化学ルミネセンス効果を呈する薬剤を薬剤ユニット１に収容する一方、制御基板ボックス１５と制御基板ボックス蓋２８との分離分割時には該分離分割作用を受けて化学ルミネセンス効果を呈して発色するとともに発色状態を維持して保管する当該薬剤ユニット１を基板ボックス締着部１６設けると共に、該基板ボックス締着部１６を含む制御基板ボックス１５若しくは制御基板ボックス蓋２８の薬剤ユニット１の収容部を光透過性樹脂で形成したことを特徴とする遊技機における制御回路基板収納ボックスを要旨とする。
【発明の効果】
【０００５】
本願発明によって、制御回路基板収納ボックスに対する不正開放の事実を、化学ルミネセンス効果により呈された発色若しくは変色により明確に識別表示するとともに、該識別標示を薬剤ユニットにより保全して不正な事実が隠蔽されることを防止し併せて正当な制御回路基板収納ボックスの開放時においてもインク類や液体が漏れ出し発生する障害を薬剤ユニット収容部により未然に防止することを可能とする効果を生じる。
【発明を実施するための最良の形態】
【０００６】
本願発明における実施の形態を、図１から図１６を参照して以下詳細に説明する。
【実施例１】
【０００７】
本実施例において、制御回路基板収納ボックスは、パチンコ遊技機やスロットマシンの機体に係着されるものである。パチンコ遊技機に構成される制御回路基板収納ボックスについて例を掲げて説明する。制御回路基板収納ボックスはパチンコ遊技機の機枠内の裏面側において係脱可能に設けられる。制御回路基板収納ボックスには制御回路基板２０が格納され、制御回路基板２０は当該パチンコ遊技機に設けられる表示装置や入賞装置或いは賞品球払い出し装置若しくは図柄表示装置などを遊技信号に対応して制御するとともに、発生し更新される遊技データを処理する。制御回路基板収納ボックスは、該制御回路基板２０を嵌入した制御基板ボックス１５に制御基板ボックス蓋２８が覆設されて組み立てられる構造となっている。
【０００８】
図１は、制御回路基板収納ボックスの基体となる制御基板ボックス１５の概要を示すものであって、これに図２で図示した制御基板ボックス蓋２８が嵌合される。図１において、制御基板ボックス１５底面には、半球形で制御回路基板２０の底面と点接触して該制御回路基板２０を支持する複数個の制御基板取付ボス２１が形成されている。該制御基板取付ボス２１の半径の幅を持って該制御基板取付ボス２１に設置される制御回路基板２０の裏面側には間隙が形成され、形成された間隙は制御回路基板２０や制御回路基板２０に接続される電気部品や回路素子から発散される熱を対流させ放熱して制御回路が適正な温度範囲内で動作するよう構成されている。
【０００９】
制御基板ボックス１５の側壁は、幅狭の制御基板ボックス第一側壁２３と幅広の制御基板ボックス第二側壁２４との幅の異なる複数種の側壁で形成される。一方、制御基板ボックス蓋２８の側壁には、前記制御基板ボックス第一側壁２３の端面と当接され幅広に形成された制御基板ボックス蓋第一側壁２６と、制御基板ボックス第二側壁２４の端面と対接される幅狭の制御基板ボックス蓋第二側壁２７とが成形されていて、制御基板ボックス１５と制御基板ボックス蓋２８とが嵌合される。それぞれ横幅が複数種類に形成された制御基板ボックス１５と制御基板ボックス蓋２８との側壁の、制御基板ボックス１５と制御基板ボックス蓋２８との互いの接合面には段差部が形成される。制御基板ボックス１５と制御基板ボックス蓋２８とは、これによりＬ字状に形成された接合面となる。Ｌ字状に形成された接合面は、制御回路基板収納ボックスの組み立て作業時において、制御基板ボックス１５と制御基板ボックス蓋２８とが嵌合されて制御回路基板収納ボックスを形成する際の水平若しくは垂直軸方向の位置決め手段として構成される。
【００１０】
制御基板ボックス１５の制御基板ボックス第二側壁２４には、円錐台形状に刻設された多数の放熱孔２５が透設されている。該放熱孔２５は制御回路基板の収納された内側で広い底面を有し、制御基板ボックス１５外部に向かって狭く形成さた頭部とを有する。これにより、パチンコ遊技機の駆動に伴って発熱し温度が上昇した制御回路や電気部品からの放射熱を、制御回路基板２０を収納した制御回路基板収納ボックス内側より制御回路基板収納ボックス外側に向けて放射する際における熱の放射効率が高められる一方、汚染された空気が循環しているパチンコ遊技場に設置されているパチンコ遊技機の制御回路基板収納ボックス機外の周辺で漂う塵が、放熱孔２５に載積して放熱孔２５を塞ぎ放熱機能を障害し、また放熱孔２５の制御基板ボックス１５内部にある底面より狭く形成された孔より塵が侵入することが、発熱された基板収納ボックス１５内部の空気は上昇気流となって放熱孔２５より外側に流出する状態となって阻止される。
【００１１】
従って制御回路基板収納ボックス外側で漂う遊技場の汚染物質が制御基板ボックス１５内に侵入することが困難な構造となっている。なお、当該放熱孔２５は図１で図示した如く縦横に多数配設されていて、制御基板ボックス１５の稜線軸で接する制御基板ボックス第二側壁２４の断面Ｌ字状となる壁面に二組に形成されている。
【００１２】
図３において、制御基板ボックス１５に収納される制御回路基板２０の一側端に隣接して、電源用のコネクタ２２ｃと信号入出力用のコネクタ２２ａ、２２ｂが配設されている。この信号線電源線コネクタ２２に対して、前記制御基板ボックス蓋２８側から回路面第一保護壁３１と回路面第二保護壁３２とが延設されている。該回路面第一保護壁３１と回路面第二保護壁３２とは、開口を形成するコネクタ取付部において制御回路基板２０と信号線電源線コネクタ２２と制御基板ボックス蓋２８との間に形成される間隙を塞ぐ。これにより、制御回路基板収納ボックスのコネクタ取付部に形成される間隙から針金等を侵入させ成される不正行為を防止するための防護壁が構成される。また、回路面第一保護壁３１と回路面第二保護壁３２とは、制御基板ボックス１５に形成された制御回路基板取付ボス２１上に架設された制御回路基板２０を浮動不能に制御基板ボックス蓋２８一体となって押し圧して咬持する構造となっている。
【００１３】
図１において、制御回路基板収納ボックスには、五体を一組とした基板ボックス締着部１６が、制御基板ボックス１５と制御基板ボックス蓋２８との各々の側端縁の壁面で当接する側壁において基板ボックス締着部１６ａと、基板ボックス締着部１６ｂとの二組が設けらた構成となっている。本実施例においては、基板ボックス締着部１６ａについては、上方の制御基板ボックス蓋２８側に締着螺子３５を誘入する締着螺子侵入窪み３３が設けられるとともに基板締着部１６ａの下方の制御基板ボックス１５側に締着螺子侵入防護壁３４が設けられる。一方、基板ボックス締着部１６ｂについては、上方の制御基板ボックス蓋２８側に締着螺子侵入防護壁３４が設けられるととともに基板ボックス締着部１６ｂの下方側の制御基板ボックス１５側に締着螺子３５を誘入する締着螺子侵入窪み３３が設けられた構造となっている。
【００１４】
従って、制御回路基板収納ボックスの組み立て時若しくは正規の制御回路基板収納ボックスについての再度の締着作業は、一方の基板ボックス締着部１６ａは、上方より締着螺子３５を締着螺子侵入窪み３３より誘入して螺着すると共に、他方の基板ボックス締着部１６ｂ側においては、下方より締着螺子３５を締着螺子侵入窪み３３より誘入して螺着し制御基板ボックス１と制御基板ボックス蓋２８とを一体に組み立てる構造となっている。
【００１５】
図３において図示したように、基板ボックス締着部１６ａは、制御基板ボックス１５下方側に偏り変位して制御基板ボックスの底面で面一となる位置に設けられている一方、基板ボックス締着部１６ｂは、制御基板ボックス蓋２８上方側に偏って変位し基板ボックス蓋２８の表面部と面一となる位置に設けられている。図４、図５参照。制御基板ボックス１５と制御基板ボックス蓋２８との接合面で切断して図示した図４と図５において、基板ボックス締着部１６は制御基板ボックス１５側の基板ボックス締着部１６ｘ、図４参照と、制御基板ボックス蓋２８側の基板ボックス締着部１６ｙ、図５参照とに分割された構造となっている。
【００１６】
なお、図４は、制御基板ボックス１５の部分と基板ボックス締着部１６ｘとを分割した基板ボックス締着部１６周辺の斜視図であって、図５で表す基板ボックス蓋２８の基板ボックス締着部１６ｙと嵌合されて基板ボックス締着部１６を形成する。なお、図４と図５で表す実施例においては、該基板ボックス締着部１６は、制御基板ボックス１５と制御基板ボックス蓋２８の接合面にともに薬剤ユニット１を嵌入した構造として図示するが、制御回路基板収納ボックスに収納される後述の薬剤ユニット１は、制御基板ボックス１５若しくは制御基板ボックス蓋２８の何れか一方に嵌入する構造としてもよい。
【００１７】
さて、制御回路基板収納ボックスの開放や破壊を表示すると共に、制御回路基板収納ボックスが破壊若しくは開放された証跡を化学ルミネセンス効果を呈して確保する薬剤ユニット１は、基板ボックス締着部１６ａについて制御基板ボックス蓋２８側の基板ボックス締着部ｙに５個の一組が、制御基板ボックス蓋２８に嵌合されるとともに、基板ボックス締着部１６ｂにも制御基板ボックス１５側の基板ボックス締着部ｘに５個の一組が嵌合されている。従って、制御回路基板収納ボックスが不正開放された場合には、制御基板ボックス１５側と制御基板ボックス蓋２８側との双方において、不正開放の事実が表示され不正開放の証跡が確保される構造である。
【００１８】
薬剤ユニット１は、制御回路基板収納ボックスの製造時に該制御回路基板収納ボックスに嵌入するものとしても良く、制御回路基板２０の検査や修理の際における制御回路基板収納ボックスの開放時において、薬剤ユニット１を基板ボックス締着部ｘと基板ボックス締着部ｙとに順次嵌入していく構成としてもよい。この場合において、制御回路基板収納ボックスへの嵌入は制御基板ボックス１５と制御基板ボックス蓋２８といずれか一方若しくは双方への嵌入をいう。
【００１９】
本実施例においては、基板ボックス締着部１６ａ側の一に設けられる薬剤ユニット１を嵌入する制御基板ボックス１５と制御基板ボックス蓋２８との基板ボックス締着部１６を一体に締着する締着螺子３５と、基板ボックス締着部１６ｂ側の一に設けられる薬剤ユニット１を嵌入する制御基板ボックス１５と制御基板ボックス蓋２８との基板ボックス締着部１６を締着する締着螺子３５とにより薬剤ユニット１の二個を一対として当該制御回路基板収納ボックスの組み立て時に該制御回路基板収納ボックス内に収容して螺着する構造として、制御基板ボックス１５と制御基板ボックス蓋２８との何れにおいても複数の個所において不正開放の表示と不正開放の証跡とを確保する。
【００２０】
この後、当該制御回路基板収納ボックスの設けられたパチンコ遊技機が、遊技場に設置された後の稼働後において実施される制御回路基板２０の検査若しくは修理のために制御基板ボックス蓋２８が開放された場合には、次に準備された第二の薬剤ユニット１が制御基板ボックス１５及び制御基板ボックス蓋２８の基板ボックス締着部１６に嵌入され、制御回路基板収納ボックスの基板ボックス締着部１６ｘと基板ボックス締着部１６ｙにと締着螺子３５が螺入され当該薬剤ユニット１は制御回路基板収納ボックスに座金３６を介して離脱不能に嵌合される。
【００２１】
なお、薬剤ユニット１の制御回路基板収納ボックスへの収容構造や薬剤ユニットの形状を異なる複数種類の構造に形成し制御回路基板収納ボックスへの破壊行為によって生じる作用力を複数の異なる法線で捉えて不正行為を検出する構造としてもよい。図１２、図１３、図１４において薬剤ユニット１における薬剤の収納構造についての変更例を示した。なおまた例えば、既述の回路面保護壁３１、３２に薬剤ユニット１埋設する構造としたり、制御基板ボックス１５或いは制御基板ボックス蓋２８の基板ボックス締着部を除くその他部位等にも薬剤ユニット１を設ける構造としてもよい。この場合、制御基板ボックス１５と制御基板ボックス蓋２８との液漏れを不能とする例えば袋状の樹脂成形体の整形時に薬剤ユニット１を制御基板ボックス１５と制御基板ボックス蓋２８とのそれぞれの樹脂成型枠に内に充填して光透過性を有する合成樹脂剤とともにインサート成型するものとしてもよい。また、複数個の薬剤ユニット１を、制御基板ボックス１５や制御基板ボックス蓋２８の壁面内にインサートして成型する構造としても良い。
【００２２】
これらの構成によって、制御回路基板収納ボックスの破壊や切断に伴って発生する不正な作用力を薬剤ユニット１が広い範囲で係り受け化学ルミネセンス効果を呈して色彩若しくは光表示するとともに表示を保全する構造となる。制御回路基板収納ボックスの不正な開放を表示するとともに確保する。この場合には、薬剤ユニット１を配設する部位の樹脂膜を薄くし、開放作用力を得て割れや歪みを出現させる溝を制御回路基板収納ボックスの適宜箇所に刻設するのが好ましい。なお、薬剤ユニット１の変形構造については、図１２（Ａ）で表す円錐、図１２（Ｂ）の直方体、図１３（Ｂ）で表すリング形状、図１４で示すボトル形状などを組み合わせて制御回路基板収納ボックスに嵌合する構成が考えられる。
【００２３】
一方制御回路基板収納ボックスを構成する制御基板ボックス蓋２８の壁面における左方前面側と左方裏面側とには縦方向に長い放熱溝２９が刻設されている。一つの放熱溝２９は、上記電源線コネクタ２２に隣接して設けられていて、基板上の局所に配置される電源回路やヒートシンクで生じる熱を当該制御回路基板収納ボックス内より外部に拡散する様形成されている。
【００２４】
さて、図６は、制御回路基板収納ボックスの制御基板ボックス１５及び制御基板ボックス蓋２８より延出して形成された基板ボックス締着部１６を制御基板ボックス１５と制御基板ボックス蓋２８とを共に分割した断面斜視図である。基板ボックス締着部に１６には、締着螺子侵入窪み３３が凹設されている。該締着螺子侵入窪み３３に刻設された締着螺子着孔３７に対して、図１０において図示する締着螺子３５が螺着される。締着螺子侵入窪み３３には必要により図示しない封止板若しくは封止ピンが嵌入されて、締着螺子３５を嵌脱不能とする。３４は、図示しない金属板が貼着される締着螺子侵入防護壁となっていて、締着螺子侵入窪み３３の背面側よりの締着螺子３５の抜脱操作を阻止する構造となっている。
【００２５】
図６において、基板ボックス締着部１６の制御基板ボックス１５及び制御基板ボックス蓋２８に連接される個所には、制御基板ボックス蓋２８の上面側には締着解除案内面３９が設けられる一方制御基板ボックス１５の下面側に締着解除下案内面３８が形成されている。
【００２６】
該締着解除下案内面３８と締着解除案内面３９とは、制御基板ボックス１５と制御基板ボックス蓋２８とで構成される制御回路基板収納ボックスの高さ及び基板ボックス締着部１６における締着螺子３５の貫通部即ち締着螺子着孔３７の設けられている部位よりは薄く、機械強度を低くする形状に形成されている。従って該締着解除下案内面３８と締着解除案内面３９とが分割作用を係り受けて基板ボックス締着部１６が切断され、制御回路基板収納ボックスを開放するに必要な作用力を軽減して正規の制御回路基板収納ボックスにおける制御基板ボックス蓋２８の開放操作を容易なものとする基板ボックス締着部１６の締着構造となっている。
【００２７】
図９にあっては、該基板ボックス締着部１６における締着解除下案内面３８と締着解除案内面３９とに、締着解除誘導溝４５ａ、４５ｂ、４５ｃを刻設した構成である。基板ボックス締着部１６への折曲げ操作によって、基板ボックス締着部１６の締着螺子３５の設けられた側を制御回路基板収納ボックス本体側の基板ボックス締着部１６より離脱させ、制御基板ボックス１５と制御基板ボックス蓋２８とが開放される構造としている。この構造によれば、基板ボックス締着部１６の分離はニッパや鋏、カッター、ラジオペンチ等で切断し分離作用することを要さず、制御回路基板の検査官や修理担当者の手からの作用力によって基板ボックス締着部１６を分離することを可能とする。
【００２８】
正規の制御回路基板収納ボックスの開放作業は、本実施例においては基板ボックス締着部１６特に締着螺子３５近傍に開放作用力を付勢することにより、押圧作用を受けた締結解除上案内面３９と締結解除案内面３８とが作用受け面として基板ボックス締着部１６を変形して、後締着螺子３５を分離させ離脱する。該基板ボックス締着部１６おける締着作用が解除されて制御基板ボックス１５と制御基板ボックス蓋２８とが分割される。また図９にあっては、押圧作用を受け変形する基板ボックス締着部１６に刻設された締着解除誘導溝４５から切断亀裂が生じ、更に基板ボックス締着部１６が曲折されて基板ボックス締着部１６の締着螺子３５による締着作用が消滅し制御基板ボックス１５と制御基板ボックス蓋２８とが分割されて制御回路基板収納ボックスは開放状態に至る。
【００２９】
制御回路基板収納ボックスにおける薬剤ユニット１を設ける個所についての実施例の一つは上述の如くであるが、図４、図５、若しくは図９で表した実施例においては、薬剤ユニット１は基板ボックス締着部１６における締結解除上案内面３９と締結解除下案内面３８とにより囲まれた基板ボックス締着部１６において解除作用力が付勢される個所に設けた構造を示している。なお、ニッパや鋏、カッター等で基板ボックス締着部１６を分離する実施態様にあって薬剤ユニット１は、ニッパ等で形成される切断面よりは離隔しこれを回避した位置であって切断作用力の及ぶ範囲内に設けられる。基板ボックス締着部１６を折曲げて該締着螺子３５を除去して当該制御回路基板収納ボックスを開放する場合においても、分離時に生じる切断面よりは薬剤ユニット１を隔離して嵌合する構造が好ましい。
【００３０】
薬剤ユニット１に対して、基板ボックス締着部１６に対する締着解除作用が及ぶよう構成すれば良いので、基板ボックス締着部１６とともに薬剤ユニット１をも切断し破壊する構造にすることを必要としない。薬剤ユニット１が締結螺子３５撤去のための切断作用力を得て変形すれば開放表示と開放に関する証跡が化学ルミネセンス効果を呈する薬剤ユニット１に確保される。基板ボックス締着部１６構成体が変形して、制御基板ボックス１５即ち基板ボックス締着部１６に対する不正な解除作用力が薬剤ユニット１に作用すれば良い。
【００３１】
図７及び図８において、薬剤ユニット１の実施形態について詳説する。図７（Ａ）および図８（Ａ）においては、薬剤ユニット１を、基板ボックス締着部１６構成体に臨む薬剤ユニットの外壁３（第二壁）と、外側が第二液６に接し内部に第一液５を収容する内壁４とよりなる二層で構成したものである。内壁（第一壁）４は、薄膜で形成されていて、基板ボックス締着部１６への不正な作用力を薬剤ユニット１の外壁３が受けると該外壁３が変形する。外壁３の変形により第二液６を収容した部分が圧迫され内壁４に及び、内壁４が変形し内壁４に貯留された第一液５の液圧が上昇する。
【００３２】
第一液５と第二液６とを隔てる隔壁即ち内壁４は、基板ボックス締着部１６への不正な作用による変形と第一液５からの反作用とを受けて歪む。歪みと作用力の均衡の崩れとによって内壁４は亀裂を生じて破損する。内壁４の破損により第一液５と第二液６とが混合される。第一液５と第二液６との混ざり合いにより薬液は化学ルミネセンス効果を呈して発色し若しくは変色し当該薬剤ユニット１において不正作用を検出する構造と成っている。この場合内壁４を形成する薄膜は、均一な厚みとして形成せず、液圧の変化を集中して係り受けて破損し易くする一段薄い膜部を形成する構造とする場合には、微細な液圧の変化であっても薄膜には亀裂が生じ易くなり、不正行為の検出精度を高くすることできる。
【００３３】
上記のように、基板ボックス締着部１６に対して与えられる不正な作用力によって、制御基板ボックス１５の該基板ボックス締着部１６が変形し若しくは破損すると当該変形作用や破損作用が薬剤ユニット１の外壁３に及ぶ結果となる。薬剤ユニット１の外壁３に及んだ作用力は、薬剤ユニット１を変形し歪ませる。
【００３４】
薬剤ユニット１の変形によって薬剤ユニット１内の液圧を上昇させる。或いは第二液６が収容された一部の部位における液圧を上昇させる。内壁４は当該液圧により破裂し第一液５と第二液６とが混入される。或いは、先の実施態様の如く内壁４の薄膜中で強度が弱く設定された部位が、変化した液圧により破られて第一液５と第二液６とが混合される。混合された第一液５と第二液６は外壁６内に同居して浮遊し、第一液５と第二液６との接触により発色し変色する化学ルミネセンス効果を生じる。後述の如く、第一液５と第二液６との混合による化学変化によって薬剤ユニット１内で発色作用が呈され、該発色作用若しくは薬剤ユニット１の変色が、基板ボックス締着部１６からの締着螺子３５の撤去若しくは制御基板ボックス蓋２８の不正開放を検出するとともに報知する。
【００３５】
発色した薬剤ユニット１は、制御基板ボックス１５での嵌合個所、或いは制御基板ボックス１５に連設されている基板ボックス締着部１６の嵌合部において拘持される。従って制御基板ボックス１５で拘持された薬剤ユニット１は、制御基板ボックス１５若しくは制御基板ボックス蓋２８において不正行為の事実を隠蔽不能に保全する。既述の実施形態を採用すれば、制御基板ボックス１５の基板ボックス締着部１６ａと、制御基板ボックス蓋２８の基板ボックス締着部１６ｂとにおいて拘持された薬剤ユニット１の化学ルミネセンス効果による発色若しくは変色は、不正開放に関する証跡を、制御基板ボックス１５と制御基板ボックス蓋２８との双方で継続して保全すること可能とする。
【００３６】
第一液５と第二液６とが混合されて化学変化を呈し外壁３に防護される薬剤ユニット１は、外壁膜の厚さや材質を適宜選択して設定することにより破壊され無い構造とすることができ、薬剤ユニット１の制御基板ボックス１５若しくは制御基板ボックス蓋２８に対する嵌合個所の選定によって損傷しない構成とすることができる。これらの構成によっても基板ボックス締着部１６や制御基板ボックス１５及び基板ボックス蓋２８に薬剤ユニット１に充填された薬液が漏れだし侵出しない構成とすることができる。薬剤ユニット１を弾性変形する被膜で被覆する構造とすれば薬液の漏れを強固に阻止する構成となる。
【００３７】
図７（Ｂ）、図８（Ｂ）は外壁３に対して破断壁４３を更に一層重ねた構成のものであって、上述した外壁３が亀裂を生じて破損する場合に、第一液５若しくは第二液６が基板ボックス締着部１６や制御基板ボックス１５あるいは制御基板ボックス蓋２８に漏れ出すことが防止するとともに不正な作用力を薬剤ユニット１に伝達し易くした構造に形成したものである。制御回路基板収納ボックスが不正開放される作用力を薬剤ユニット１に連撃する破断溝４４を刻設した構造でもある。
【００３８】
即ち、外壁５が破れて薬剤ユニット１からの薬液が薬剤ユニット１外部に漏れ出ようとする場合には、破断壁４３で囲まれた内壁の部分に薬液は停留し貯留される構造であって、この破断壁４３内部でも不正開放を検出した薬液の発色が薬液の貯留とともに維持される。これにより薬剤ユニット１を収容する領域より外側、例えば薬剤ユニット収容孔１７、制御基板ボックス１５、基板ボックス締着部１６、制御基板ボックス蓋２８に薬液が漏れだして制御回路基板収納ボックスに薬液が付着し制御回路基板ボックスを汚染することはない。
【００３９】
図７（Ｂ）及び図８（Ｂ）の実施例においては、破断壁４３を含む層が薬剤ユニット１に一層積層されるために締着螺子３５への不正な作用が減衰される可能性がある。これを防止し不正な作用力を増幅させるために、破断壁４３の外周面に破断溝４４を刻設した。図７（Ｂ）４４、図８（Ｂ）４４及び図１０符号４４において図示する。当該構造にあっては締着螺子３５の撤去作用は破断溝４４によって収束される。また、撤去作用力は破断溝４４が曲折される際に新たな衝撃力を誘発する。
【００４０】
この作用力の収束作用と新たな衝撃力とが重なり合って薬剤検出ユニット１即ち外壁３に増幅された不正な作用力が及ぶものとなる。以上によって、破断壁４３により減衰される不正な作用力は再び増幅されて薬剤検出ユニット１及ぶ構造となり、不正行為の検出機能をより好ましい作用に改善することができる。図１０は、基板ボックス締着部１６より締着螺子３５と、薬剤ユニット１とを分離した斜視図であって、第一液５と第二液６とが充填された薬剤ユニット１の収容例を破断溝４４とともに示した。また、薬剤ユニット１を制御回路基板収納ボックスを成型する樹脂性材に充填して成形したインサート成形体２の概要を、該インサート成形体２と第一液５と第二液６とともに切断して図示したものである。
【００４１】
薬剤ユニット１がインサート成型されたインサート成形体２を、図７（Ｂ）、図８（Ｂ）、図９、図１０を参照し補充して説明する。本実施形態においては、第一液５と第二液６とを内壁４により分離して外壁３を薬剤ユニット１の外周膜とする該薬剤ユニット１が、制御基板ボックス蓋把持部４１と締着部把持面４２とを外周膜として有する液漏れ不能な合成樹脂成型体であるインサート成形体２に充填された後樹脂成型された構造である。インサート成形体２に形成された制御基板ボックス蓋狭持部４１は制御基板ボックス蓋２８に係入されて狭持され、締着部把持面４２が基板ボックス締着部１６に係入されて把持される構造となって樹脂成型器の型枠に収容される。
【００４２】
樹脂成型器の型枠の加圧、加熱制御によりインサート成形体２に含まれる薬剤ユニット１が、基板ボックス締着部１６ａと連接された制御基板ボックス蓋２８に一体化されて樹脂成形される。同様にインサート成形体２を含む薬剤ユニット１が基板ボックス締着部１６ｂと連接された制御基板ボックス１５に一体化されて樹脂成形される。これによって薬剤ユニット１を有するインサート成形体２が制御基板ボックス１５および制御基板ボックス蓋２８に嵌合される。
【００４３】
薬剤ユニット１を有するインサート成形体２について、その他の実施形態について更に説明する。図１２において（Ａ）にあっては、第一液５と、第二液６とを隔膜で分離した薬剤ユニット１の円錐状の端部を樹脂形成体で把持する状態で成形したインサート成形体２を制御回路基板収納ボックスの所定部位に埋設して成型する構造である。図１２（Ｂ）は、薄膜内に第一液５を注入して成る棒状体を第二液６とともに内部に格納した直方体のインサート成形体２を示し、該インサート成形体２を、制御回路基板収納ボックスの所定箇所に嵌合して樹脂成形する構造のものである。
【００４４】
図１３（Ａ）は、複数個の薬剤ユニット１を纏めて一体に樹脂成形した後、制御回路基板収納ボックスに格納する例を図示し、図１１（Ａ）、図１１（Ｂ）においてその組み付け態様を示した。図１１（Ａ）図１１（Ｂ）において制御基板ボックス蓋２８と制御基板ボックス蓋２８に連設された基板ボックス締着部１６には、既述の如く制御回路基板収納ボックスの樹脂成型時に薬剤ユニット把持溝５０が形成されている。該薬剤ユニット把持溝５０に対して５個の薬剤ユニット１が充填できるよう合成樹脂のインサート成型によってインサート成形棒１１が制御基板ボックス蓋２８に格納され嵌合された構造である。
【００４５】
なお、当該実施形態においては、制御基板ボックス蓋２８と、基板ボックス締着部１６と、制御基板ボックス蓋２８と制御基板ボックス１５との間に形成される間隙より、不正部材が制御回路基板２０に挿入されること阻止する既述の回路面第一保護壁３１と回路面第二保護壁３２とを併せて樹脂成型し形成した構成を示した。
【００４６】
図１３（Ｂ）にあっては、額縁状の第一剤１２収容箱と第二剤１３収容箱とを同心上に積層してなる薬剤ユニット１の例を示し、この薬剤ユニット１についても単一のインサート成形体を制御回路基板収納ボックスの適宜箇所に充填する構成とする。或いは複数の薬剤ユニット１をインサート成形により一体としたのち制御回路基板収納ボックスに嵌合する構成としても良い。本例の如く薬剤ユニット１を額縁上に形成することによって、直方体状の薬剤ユニット１に比較して、制御回路基板収納ボックス、基板ボックス締着部１６に対する開放作用力が弱く少なく充分で無い場合にも、当該作用力により薬剤ユニットを歪ませて隔壁を破断して、薬液を混合し化学反応による発色若しくは変色を誘導することが可能となる。
【００４７】
図１４における実施形態は、ブロー成形によって第一液５及び第二液６を充填するボトルを形成し、薬液を当該ボトルに充填した後に開口部をホットシール及び熱溶着した薬剤ユニット１を、制御基板ボックス１５に収容する実施例である。当該薬剤ユニット１は、制御基板ボックス１５から延出された基板ボックス締着部１６と該制御基板ボックス１５とに形成された薬剤ユニット収容孔１７に格納する。この薬剤ユニット１となるボトルが基板ボックス締着部１６における締着螺子３５への撤去作用を検知する。なお薬剤ユニット収容孔１７は図示しない締着螺子３５が撤去される部位から離隔した位置に設けられている。なおまた１８は第一液５と第二液６とが隔壁を隔てて充填された薬液収容部であり、薬液は充填蓋１９に形成された注入孔より注入された後充填蓋１９が加熱により溶着され密封される。
【００４８】
なお、図１２おいて、符号８は外壁３を取り囲む把持輪であり、７は、該把持輪８が薬剤ユニット１を収容する際に生じる弾性変形を許容する間隙であり、また９は、制御基板ボックス１５に薬剤ユニット１を嵌合する際の取付け手段を構成する係入輪である。また図１３において、１０は、インサート成形棒１１に薬剤ユニット１を収容した際に生じる接合面を図示する。１２は、第一液５の収容された第一剤であって第二液６の第二剤１３を含有するインサート成型箱１４に格納される。
【００４９】
以上の薬剤ユニット１、外壁３、破断壁４３、基板ボックス締着部１６、制御基板ボックス１５、制御基板ボックス蓋２８は何れも透明、半透明樹脂である光透過性樹脂材料により成型されている。従って、締着螺子３５に対する基板ボックス締着部１６の撤去作用あるいは制御回路基板収納ボックスの不正開放動作を検知して化学ルミネセンス効果により発色もしくは変色した薬剤ユニット１の不正検出情報を明確に表示する。
【００５０】
次に薬剤ユニット１の一実施例を補充説明する。薬剤ユニット１は可撓性材料からなる円筒状の外壁３を有する透光性容器に、化学ルミネセンス反応を起こす溶液である第一液５と、該第一液に混ざると反応する溶液の第二液６を封入した内壁４を有する例えばガラスアンプル（樹脂容器）を封入しておき、透光性容器の外壁５が折り曲げられて中のガラスアンプル（樹脂容器）となる内壁４が割られることにより第一液５と第二液６とが混合され化学ルミネセンス反応を生じて発光する化学発光体となっている。薬液ユニット１が破壊されることにより流出する薬液を吸収する吸着剤は周知であり、この吸着剤を薬液ユニット１に重合すれば漏れ出した薬液が、基板ボックス締着部１６や制御基板ボックス１５若しくは制御基板ボックス蓋２８あるいは制御回路基板２０に及びこれを汚染して回路動作の異常を招くはない。吸着剤は、繊維材、スポンジ状の樹脂、顆粒状の物質とすることが考えられる。
【００５１】
また、本実施例係る薬液（第一液５、第二液６）に使用し化学ルミネセンス効果を呈する発光液には以下の物質を選択する。二種類の化学発光液である薬液の一方（第一液５）を酸化液、他方（第二液６）を蛍光液とし、酸化液の組成は、フタル酸ジメチル、ｔ−ブチルアルコール、過酸化水素及び触媒であるサリチル酸ナトリウムから成り、一方、蛍光液は、フタル酸ジブチル、ビス（２，４，５-トリクロロ-６-カルボペントキシフェニル）オキサレート、及び蛍光物質として、１-クロロ９，１０-ビス（フェニルエチニル）アントラセンから形成する。
【００５２】
その他選定が可能な蛍光物質としては、ジクロロ 、（フェニルエチニル）アントラセン、（４-エトキシフェニル）アントラセン、ペリレンジカルボキシイミド等多種のものが存在するが、これらの二種以上の組み合わせ等で任意の色を選択しても良い。これらの化学ルミネセンス効果を生じる蛍光物質を採用する場合には、パチンコ遊技機やスロットマシンに設けられる制御回路基板ボックスが設置される遊技場における島設備内の、光の乏しい施設内においても、不正行為の痕跡を容易に発見し確認することが可能となる。
【００５３】
なお、以上の説明した実施形態の他、薬剤ユニット１については制御基板ボックス１５に第一液を、制御基板ボックス蓋２８には第二液を充填し複数の薬剤ユニットに分離して予め収容するものとしても良い。この場合、二種類の薬剤ユニットが接合する面を第一壁（内壁）４とし、相互の薬剤ユニット１が制御基板収納ボックスの形成体（合成樹脂成形体）で接触する面、制御基板ボックス１５或いは制御銀ボックス蓋２８で嵌合される面を第二壁（外壁）３として形成する。制御基板ボックス１５と制御基板ボックス蓋２８とによって二個一対の薬剤ユニット１を把持して収容し、基板ボックス締着部１６における締結螺子３５への不正な撤去作用を係り受けて前記接合面となる第一壁（内壁）４の薄膜を破裂させる構造としても良い。
【００５４】
また、五個一組でなる二対の基板ボックス締着部１６中の、五個中の各一個については、制御回路基板収納ボックスの製造出荷時に薬剤ユニット１を充填しておき、当該制御回路基板の検査時若しくは修理時においてこの当初充填した薬剤ユニット１は当該制御回路基板収納ボックスの開放により破棄する。正規の制御回路の検査、若しくは修理後において、改めて五個中の二個目の各一個の基板ボックス締着部１６に対して、発光、発色されていない二番目の薬剤ユニット１を所定の遊技機管理者の認証を経ることによって使用可能として供給し、後制御回路基板収納ボックス即ち薬剤ユニット１が嵌合される基板ボックス締着部１６に嵌入する。遊技機管理者により認証して供給された当該薬剤ユニット１を基板ボックス締着部１６の薬剤ユニット収容孔１７に収納し、基板ボックス締着部１６を締着螺子３５により螺着して制御回路基板収納ボックスを再使用に組み立てる。
【００５５】
なお、薬剤ユニット１については、第一壁の一例である内壁４は、断面同心円状で内部に第一液５を収容する。第二壁の一例である外壁３は、内部に第二液６と前記内壁４内側に充填された第一液５とを共に収容し、基板ボックス締着部１６への分離作用力の受入面となる。第一壁と第二壁とを同心円上に形成せず第一液５と第二液６とを並べて併設し隔壁により第一液５と第二液６とを分離するものとし、この外周に設けた第二壁が第一液５と第二液６とに共に接してこれを収容し基板ボックス締着部１６への分離作用力の受入面とする構造としても良い。
【００５６】
実施形態に記載した発明の一つは、化学ルミネセンス効果を呈する薬剤を薬剤ユニット１に収容する一方、制御基板ボックス１５と制御基板ボックス蓋２８との分離分割時には該分離分割作用を受けて化学ルミネセンス効果を呈して発色するとともに発色状態を維持して保管する前記薬剤ユニット１を基板ボックス締着部１６設けると共に、該基板ボックス締着部１６を含む制御基板ボックス１５若しくは制御基板ボックス蓋２８の薬剤ユニット１の収容部を光透過性樹脂で形成したことを特徴とする遊技機における制御回路基板収納ボックスを要旨とするものであり、
【００５７】
制御回路基板収納ボックスに対する不正開放の事実を、化学ルミネセンス効果により呈された発色若しくは変色により明確に識別表示するとともに、該識別標示を薬剤ユニットにより保全して不正な事実が隠蔽されることを防止し併せて正当な制御回路基板収納ボックスの開放時においてもインク類や液体が漏れ出し発生する障害を薬剤ユニット収容部により未然に防止することを可能とする。
【００５８】
また、実施形態に記載した発明の他の一つは、第一壁４により第一液５と第二液６とを分離して内部に収容する共に基板ボックス締着部１６に対する制御基板ボックス１５と制御基板ボックス蓋２８との分離作用力を係受ける第二壁３を有する薬剤ユニット１を制御基板ボックス１５と制御基板ボックス蓋２８とからなる制御回路基板収納ボックス内に嵌入する一方、制御基板ボックス１５と制御基板ボックス蓋２８との分離作用を受けて前記薬剤ユニット１の第二壁３が基板ボックス締着部１６形成体により押圧されることにより第一壁４が破損し第一液５と第二液６とが混入して化学変化を呈し制御基板ボックス１５と制御基板ボックス蓋２８との分離証跡を識別表示して保全する前記薬剤ユニット１が設けられたことを特徴する遊技機における制御回路基板収納ボックスを要旨とするものである。
【００５９】
このため制御回路基板収納ボックスに対する不正開放の事実を明確に識別表示するとともに不正な事実が隠蔽されることのない確実な証跡を確保するとともに、併せて正当な制御回路基板収納ボックスの開放時においてインク類や液体が漏れ出し発生する障害を未然に防止することができる。  
【００６０】
本実施形態に記載した薬剤ユニット１を形成する被膜若しくは及び薬剤については、これを蛍光材料とすることにより不正発生の事実が識別性を高くして報知できる。薬剤を液状とする場合には、ゾル、ゲル状のものとすれば薬剤ユニットが破損した場合の漏れだしを抑制し、仮に漏れだした場合にも薬液により汚染される領域を狭い範囲に留めることが可能となる。また、薬液が漏れ出すことを防ぐ手段としては、薬液を厚紙や布、繊維に含侵させて構成が考えられる。この場合透明の樹脂板を真空成形にて形成し、薬液を含有する布を前記透明の樹脂板で把持して溶着及びホットミールで密着させる。図１５参照。
【００６１】
なお、図１１、図１２（Ａ）において示した薬剤ユニット１が５個一体として成形されたインサート成形棒１１における第一の薬剤ユニット１と第二の薬剤ユニット１との間隙が切断され破壊されることにより薬液が混入されて化学ルミネセンス効果により発光するよう構成してもよい。図１６参照。このような薬剤ユニット１完全に分断されるような実施態様においては前記の薬液を繊維類に含侵させて構造のものを採用するのが薬液の漏れ出しを防ぐに有効な構成となる。図１５。
【００６２】
薬液の選択によって制御回路基板収納ボックスの開放前においては色彩や発光を呈せず、破壊や開放作用された場合に色彩や発光する構成とすることとしても良く、或いは制御回路基板収納ボックスの開放、基板ボックス締着部の破壊、締着螺子の抜脱作用を係り受けて、薬剤ユニットから発せられる色彩や、発光色を変換する該薬剤ユニットの構成としても良い。  
【００６３】
また、基板ボックス締着部１６への不正開放に伴う作用を係受する薬剤ユニット１を締着螺子３５近傍に格納するとともに不正開放に係わる作用力によっては破損しない被膜で形成された薬剤ユニット１内に充填された薬液が不正開放の作用を受け化学変化を呈して発色して不正開放を表示する遊技機の制御回路基板収納ボックスとする構成としても良い。不正開放に伴う作用力により破損し破壊されないようにするには、既述した基板ボックス締着部１６への切断作用の及ぶ領域より離隔した位置に薬剤ユニットを設けることのほか、ポリプロピレン、ポリエチレン、合成ゴムなどの弾性を有して、薬液からの内圧上昇による反作用を受けても破れことのない被膜により薬剤ユニット１形成するのが好ましい。この場合チューブ状の形態に形成するのがよい。
【００６４】
薬剤ユニット１が不正作用された状態を形態的に維持しようとする場合には、可塑性を有する被膜とすることが好ましい。
【図面の簡単な説明】
【００６５】
【図１】本願発明に係る制御基板ボックスの立体斜視図である。
【図２】本願発明に係る制御基板ボックス蓋の斜視図である。
【図３】本願発明に係る制御基板ボックスに対して制御回路基板を取り付ける状態図である。
【図４】本願発明に係る制御基板ボックスと制御基板ボックス蓋との接合面をもって切断した制御基板ボックスに関する断面斜視図である。
【図５】本願発明に係る制御基板ボックスと制御基板ボックス蓋との接合面で切断した制御基板ボックス蓋に関する断面斜視図である。
【図６】本願発明に係る制御基板ボックスに制御基板ボックス蓋を覆設した基板ボックス締着部要部断面斜視図である。
【図７】本願発明に係る薬剤ユニットの概要を示す立体斜視図である。
【図８】本願発明に係る薬剤ユニットに関する第一液と第二液との薬剤の配置と組付状態を示す斜視図である。
【図９】本願発明に係る基板ボックス締着部の解離を誘導する形状を示す斜視図である。
【図１０】本願発明に係る基板ボックス締着部より締着螺子とインサート成形体を含む薬剤ユニットの概要を示す斜視図である。
【図１１】本願発明に係るインサート成形棒を制御回路基板収納ボックスへの組み付け状態を示す斜視図である。
【図１２】本願発明に係る薬剤ユニットとインサート成形体の変更例を示す図である。
【図１３】本願発明に係る薬剤ユニットとインサート成形体の別例を示す図である。
【図１４】本願発明に係る薬剤ユニットをボトル状のものとして制御基板収納ボックスに格納する場合の斜視図である。
【図１５】本願発明に係る薬剤ユニットに充填する薬液を繊維材に含侵させて該薬剤ユニットを構成する斜視図である。
【図１６】本願発明に係る薬剤ユニットを複数個連接して制御回路基板収納ボックスに格納し該薬剤ユニットの連接部を切断する場合の斜視図である。
【符号の説明】
【００６６】
１  薬剤ユニット  、２  インサート成形体  、３  外壁  、４  内壁  、
５  第一液  、６  第二液  、７  間隙  、８  把持輪  、９  係入輪  、
１０  接合面  、１１  インサート成形棒  、１２  第一剤  、１３  第二剤  、１４  インサート成形箱  、１５  制御基板ボックス  、
１６  基板ボックス締着部  、１７  薬液ユニット収容孔  、
１８  薬液収容部  、１９  充填蓋  、２０  制御回路基板  、
２１  制御回路基板取付ボス、２２  信号線電源線コネクタ  、
２３  制御基板ボックス第一側壁  、２４  制御基板ボックス第二側壁  、
２５  放熱孔  、２６  制御基板ボックス蓋第一側壁  、
２７  制御基板ボックス蓋第二側壁  、２８  制御基板ボックス蓋  、
２９  放熱溝  、３０  コネクタ収容部  、３１  回路面第一保護壁  、
３２  回路面第二保護壁  、３３  締着螺子侵入窪み  、
３４  締着螺子侵入防護壁  、３５  締着螺子  、３６  座金  、
３７  締着螺子着孔  、３８  締着解除下案内面  、３９  締着解除上案内面  、４０  締着螺子胴部  、４１  制御基板ボックス蓋挟持部  、
４２  締着部把持面  、  ４３  破断壁  、  ４４  破断溝  、  
４５  締着解除誘導溝  、  ４６  締着螺子溝  、  ４７  締着螺子山  、  
４８  締着螺子谷  、５０  薬剤ユニット把持溝。
【図１】
2005087596.tif 000003
【図２】
2005087596.tif 000004
【図３】
2005087596.tif 000005
【図４】
2005087596.tif 000006
【図５】
2005087596.tif 000007
【図６】
2005087596.tif 000008
【図７】
2005087596.tif 000009
【図８】
2005087596.tif 000010
【図９】
2005087596.tif 000011
【図１０】
2005087596.tif 000012
【図１１】
2005087596.tif 000013
【図１２】
2005087596.tif 000014
【図１３】
2005087596.tif 000015
【図１４】
2005087596.tif 000016
【図１５】
2005087596.tif 000017
【図１６】
2005087596.tif 000018